(57)【特許請求の範囲】
【請求項１】
嵌合時に相手方コネクタのハウジングに係合される係合部を有する第１ハウジングと、
前記第１ハウジングに取り付けることにより、前記係合部と前記相手方コネクタのハウジングとの係合状態を維持し、かつ、前記第１ハウジングから取り外すことにより、前記係合部と前記相手方コネクタのハウジングとの係合状態を解除する係合維持部を有する第２ハウジングと、を備え、
前記係合部は、先端に近づくに従って先細り状となる斜面とその斜面の頂上から基端側に向かって下降傾斜する斜面とを有する山形に形成されているコネクタ。
【請求項２】
前記第１ハウジングは、前記相手方コネクタのハウジングに対して回転自在に係合される請求項１に記載のコネクタ。
【発明の詳細な説明】
【技術分野】
【０００１】
本発明は、コネクタに関する。
【背景技術】
【０００２】
機器に接続されるコネクタとしては、例えば特許文献１に記載のものなどが知られている。
【０００３】
このようなコネクタにおいて、機器側のコネクタとの嵌合信頼性を高めるためには、例えば、コネクタに機器側コネクタに固定される固定部を設けておいて、当該固定部を機器側コネクタハウジングに圧入する等により、強固に固定する構成が考えられた。
【先行技術文献】
【特許文献】
【０００４】
【特許文献１】特開２０１０−１９２１４０号公報
【発明の概要】
【発明が解決しようとする課題】
【０００５】
しかしながら、コネクタを相手方（機器側）コネクタハウジングに圧入等の方法により強固に固定した場合、嵌合信頼性を高めることができても、コネクタを容易に取り外すことができないため、コネクタの補修作業等が困難であった。
【０００６】
本発明は上記のような事情に基づいて完成されたものであって、嵌合信頼性を高めつつ補修作業等が可能なコネクタを提供することを目的とする。
【課題を解決するための手段】
【０００７】
上記課題を解決するものとして、本発明は嵌合時に相手方コネクタのハウジングに係合される係合部を有する第１ハウジングと、前記第１ハウジングに取り付けることにより、前記係合部と前記相手方コネクタのハウジングとの係合状態を維持し、かつ、前記第１ハウジングから取り外すことにより、前記係合部と前記相手方コネクタのハウジングとの係合状態を解除する係合維持部を有する第２ハウジングと、を備えるコネクタ、である。
【０００８】
本発明において、嵌合時に相手方コネクタのハウジングと係合されて係合状態となった第１ハウジングを係合維持する係合維持部を有する第２ハウジングを備えるので、コネクタと相手方コネクタとの嵌合信頼性を高めることができる。また、この第２ハウジングを第１ハウジングから取り外すことにより、第１ハウジングと相手方コネクタのハウジングとの係合状態が解除されるので、第２ハウジングを取り外すだけでコネクタの補修作業が可能となる。
【０００９】
その結果、本発明によれば、嵌合信頼性を高めつつ補修作業等が可能なコネクタを提供することができる。
【００１０】
本発明は以下の構成であってもよい。
前記第１ハウジングは、前記相手方コネクタのハウジングに対して回転自在に係合されてもよい。
このような構成とすると、コネクタを相手方コネクタに嵌合させる際に、相手方コネクタのハウジングに第１ハウジングを挿入する位置の規制がないので嵌合作業を円滑に行うことができる。
【発明の効果】
【００１１】
本発明によれば、嵌合信頼性を高めつつ補修作業等が可能なコネクタを提供することができる。
【図面の簡単な説明】
【００１２】
【図１】実施形態１のコネクタと相手方コネクタが嵌合した状態を示す斜視図
【図２】図１の状態における正面図
【図３】図２のＡ−Ａ線における断面図
【図４】図１の状態における背面図
【図５】図４のＢ−Ｂ線における断面図
【図６】相手方コネクタの分解斜視図
【図７】相手方コネクタの正面図
【図８】図７のＣ−Ｃ線における断面図
【図９】コネクタの側面図
【図１０】コネクタの正面図
【図１１】図１０のＤ−Ｄ線における断面図
【図１２】コネクタの分解斜視図
【図１３】ハウジングの側面図
【図１４】ハウジングの背面図
【図１５】図１４のＥ−Ｅ線における断面図
【図１６】ハウジングの分解斜視図
【図１７】第１ハウジングの側面図
【図１８】第１ハウジングの正面図
【図１９】図２０のＧ−Ｇ線における断面図
【図２０】第１ハウジングの背面図
【図２１】図１８のＦ−Ｆ線における断面図
【図２２】第２ハウジングの側面図
【図２３】第２ハウジングの正面図
【図２４】図２３のＨ−Ｈ線における断面図
【図２５】第２ハウジングの背面図
【図２６】図２５のＩ−Ｉ線における断面図
【図２７】嵌合前のハウジングと相手方コネクタのハウジングを示す断面図
【図２８】ハウジングと相手方コネクタのハウジングとが嵌合した状態を示す断面図
【図２９】第２ハウジングを取り外した状態を示す断面図
【図３０】相手方コネクタのハウジングから第１ハウジングを取り外す様子を示す断面図
【発明を実施するための形態】
【００１３】
＜実施形態１＞
本発明の実施形態１を図１ないし図３０によって説明する。
実施形態１のコネクタ１０は、図１〜図５に示すように、相手方コネクタ３０と嵌合して電気的に接続される。
【００１４】
（相手方コネクタ３０）
相手方コネクタ３０は図１および図６に示すように、３種類の端子３７，３８，３９とこれらの端子３７，３８，３９を保持する円筒状のハウジング３１と、を備える。
【００１５】
３種類の端子３７，３８，３９は、図６における左側から順に、第１端子３７、第２端子３８、第３端子３９である。第１端子３７、第２端子３８および第３端子３９は、それぞれ、Ｃ字状の接触部３７Ａ，３８Ａ，３９Ａと、接触部３７Ａ，３８Ａ，３９Ａの略中央から突出する板状の端子部３７Ｂ，３８Ｂ，３９Ｂとからなる。第１端子３７、第２端子３８および第３端子３９の接触部３７Ａ，３８Ａ，３９Ａの径寸法は、第１端子３７、第２端子３８、第３端子３９の順に小さく設定されている。
【００１６】
相手方コネクタ３０のハウジング３１の内部には、図８に示すように、断面形状が三段階の段差状をなす内筒部３２が設けられている。内筒部３２内にはコネクタ１０の第１ハウジング１２を受け入れ可能とされる（図３および図５を参照）。
【００１７】
内筒部３２には、３つの端子３７，３８，３９が内嵌され保持される端子保持部３３，３４，３５が設けられている。
【００１８】
詳しくは、内筒部３２には、図８における右側から順に第１端子３７を保持する第１端子保持部３３、第２端子３８を保持する第２端子保持部３４、第３端子３９を保持する第３端子保持部３５が形成されている。内筒部３２の図８の左右方向の端縁は円形状に開口している（図７を参照）。
【００１９】
ハウジング３１には、第１端子３７の端子部３７Ｂと第２端子３８の端子部３８Ｂを挿通させる端子挿通孔３６が設けられている。第３端子３９の端子部３９Ｂは第３端子保持部３５の縁部の切欠部３５Ａに保持されるようになっている。
【００２０】
（コネクタ１０）
コネクタ１０は図９〜図１２に示すように３種類の端子１８，１９，２０と、これらの端子１８，１９，２０を保持するハウジング１１と、を備える。
【００２１】
３種類の端子１８，１９，２０は、図１２における右側から順に、第１端子１８、第２端子１９、第３端子２０である。第１端子１８、第２端子１９および第３端子２０は、それぞれ、Ｃ字状の接触部１８Ａ，１９Ａ，２０Ａと、接触部１８Ａ，１９Ａ，２０Ａの略中央から突出する板状の端子部１８Ｂ，１９Ｂ，２０Ｂとからなる。第１端子１８、第２端子１９および第３端子２０の接触部１８Ａ，１９Ａ，２０Ａの径寸法は、第１端子１８、第２端子１９、第３端子２０の順に小さく設定されている。
【００２２】
ハウジング１１は、図１６に示すように、端部に相手方コネクタ３０のハウジングに係合する係合部１３を有する第１ハウジング１２と、第１ハウジング１２に取り付けられる第２ハウジング２２とからなる。
【００２３】
ハウジング１１は、第２ハウジング２２を第１ハウジング１２に取り付けた状態において、図９〜図１２に示すように、その外壁が３段階の段差形状をなしている。段差形状をなす部分は端子１８，１９，２０が外嵌され保持される端子保持部１４，１５，１６である。ハウジング１１の外壁には、図１１における右側から順に第１端子１８を保持する第１端子保持部１４、第２端子１９を保持する第２端子保持部１５、第３端子２０を保持する第３端子保持部１６が形成されている。また第１端子保持部１４、第２端子保持部１５および第３端子保持部１６には各端子１８，１９，２０の端子部１８Ｂ，１９Ｂ，２０Ｂが挿通され保持される端子保持孔１７が設けられている。
【００２４】
（第１ハウジング１２）
第１ハウジング１２の図示右端部には、図１３〜図１６に示すように、第２ハウジング２２のロック突部２３に係合するロック孔２１が設けられている。そして、第１ハウジング１２の図示左端部には嵌合時に相手方コネクタ３０のハウジング３１に係合される３つの係合部１３が設けられている。係合部１３は、先端に近づくに従って先細り状に形成されている。第１ハウジング１２の係合部１３は、図３および図５に示すように、相手方コネクタ３０のハウジング３１の内筒部３２の図示左側の端縁３２Ａに係止されるようになっている。
【００２５】
第１ハウジング１２の内部には、図１５に示すように、第２ハウジング２２の係合維持部２４（詳細は後述する）を挿入可能とされる。また、第１ハウジング１２の外壁には図１７〜図２１に示すように、各端子１８，１９，２０を保持する端子保持部１４，１５，１６が設けられている。
【００２６】
（第２ハウジング２２）
第２ハウジング２２には図２２〜図２６に示すように、第１ハウジング１２の内部に挿入され第１ハウジング１２の係合部１３と相手方コネクタ３０のハウジング３１の内筒部３２との係合状態を維持する係合維持部２４が突出形成されている。この係合維持部２４を第１ハウジング１２の内部から抜き取ると、第１ハウジング１２の係合部１３が撓み変形しやすくなり容易に第１ハウジング１２の係合部１３と相手方コネクタ３０のハウジング３１の内筒部３２との係合状態を解除することができる。
【００２７】
係合維持部２４は円柱状をなしており図示左端部には先端に近づくほど小径に形成された傾斜面２４Ａが形成されている。
【００２８】
第２ハウジング２２の係合維持部２４の突出端よりも右側の部分には、図１１に示すように、内部に端子１８，１９，２０が配されるようになっており、その外壁には、図１６および図２６に示すように、第１ハウジング１２のロック孔２１に嵌り込むロック突部２３が設けられている。
【００２９】
（コネクタ１０と相手方コネクタ３０との嵌合）
本実施形態のコネクタ１０と相手方コネクタ３０との嵌合作業について説明する。
まず第１ハウジング１２の各端子保持部１４，１５，１６に各端子１８，１９，２０を取り付けたのち、第１ハウジング１２の内部に第２ハウジング２２の係合維持部２４を挿入し、第１ハウジング１２のロック孔２１に第２ハウジング２２のロック突部２３を係合させると、本実施形態のコネクタ１０が得られる。
【００３０】
相手方コネクタ３０のハウジング３１にも各端子３７，３８，３９を取り付ける。具体的にはハウジング３１の内筒部３２の各端子保持部３３，３４，３５に各端子３７，３８，３９を内嵌し取り付ける。
【００３１】
次に本実施形態のコネクタ１０のハウジング１１を、図２７に示すように、相手方コネクタ３０のハウジング３１内に挿入し両コネクタ１０，３０を嵌合させる。なお、図２７〜図３０においては、各コネクタ１０，３０の端子１８，１９，２０，３７，３８，３９を省略している。
【００３２】
コネクタ１０のハウジング１２の係合維持部２４を、相手方コネクタ３０の内筒部３２内に挿入し、第１ハウジング１２の係合部１３と相手方コネクタ３０のハウジング３１の内筒部３２とが当接すると、相手方コネクタ３０のハウジング３１の内筒部３２が外側方向に撓み変形する。第１ハウジング１２の係合部１３が完全に内筒部３２を通過するところまで進入すると、ハウジング３１の内筒部３２が弾性復帰して内筒部３２の端縁３２Ａに第１ハウジング１２の係合部１３が係止されるとともに、コネクタ１０と相手方コネクタ３０との嵌合作業が終了する（図３を参照）。
【００３３】
コネクタ１０と相手方コネクタ３０とが嵌合状態にあるときには、図３および図５に示すように、コネクタ１０の第１端子１８の接触部１８Ａと相手方コネクタ３０の第１端子３７の接触部３７Ａとが接触し、コネクタ１０の第２端子１９の接触部１９Ａと相手方コネクタ３０の第２端子３８の接触部３８Ａとが接触し、コネクタ１０の第３端子２０の接触部２０Ａと相手方コネクタ３０の第３端子３９の接触部３９Ａとが接触し、両コネクタ１０，３０は電気的に接続可能な状態となる。
【００３４】
コネクタ１０と相手方コネクタ３０とが嵌合状態にあるとき、第１ハウジング１２は相手方コネクタ３０のハウジング３１に中心軸で係合されているため、第１ハウジング１２は相手方コネクタ３０のハウジング３１に対して回転自在に嵌合できることになる。
【００３５】
その一方で、第１ハウジング１２の係合部１３は第２ハウジング２２の係合維持部２４により、内側方向への弾性変形が妨げられているため、第１ハウジング１２は、第２ハウジング２２が取り付けられていることにより、相手方コネクタ３０のハウジング３１との係合状態が維持されており、嵌合信頼性が高くなっている。
【００３６】
（本実施形態の作用および効果）
本実施形態の作用について説明する。例えば本実施形態のコネクタ１０を補修する際には、図２９に示すように、第２ハウジング２２を第１ハウジング１２から取り外す。第２ハウジング２２を第１ハウジング１２から取り外す際には、第２ハウジング２２のロック突部２３と第１ハウジング１２のロック孔２１との係合状態を解除して図２９に示す右側方向に第２ハウジング２２を引き抜く。
【００３７】
第２ハウジング２２を引き抜くことにより、第２ハウジング２２の係合維持部２４が第１ハウジング１２の内部から抜き取られ、第１ハウジング１２の係合部１３が内側方向に弾性変形可能となる。第１ハウジング１２の係合部１３が内側方向に撓むことにより、相手方コネクタ３０のハウジング３１との係合状態が解除されると、図３０に示すように、第１ハウジング１２を相手方コネクタ３０のハウジング３１から容易に取り外すことができる。
【００３８】
本実施形態の効果について説明する。
本実施形態においては、嵌合時に相手方コネクタ３０のハウジング３１と係合状態となった第１ハウジング１２を、係合維持する係合維持部２４を有する第２ハウジング２２を備えるので、コネクタ１０と相手方コネクタ３０との嵌合信頼性を高めることができる。
【００３９】
また、第２ハウジング２２を第１ハウジング１２から取り外すことにより、第１ハウジング１２と相手方コネクタ３０のハウジング３１との係合状態の解除が容易となるので、第２ハウジング２２を取り外すだけでコネクタ１０の補修作業が可能となる。
その結果、本実施形態によれば、嵌合信頼性を高めつつ補修作業等が可能なコネクタ１０を提供することができる。
【００４０】
また、本実施形態によれば、第１ハウジング１２は、相手方コネクタ３０のハウジング３１に対して回転自在に係合されているから、コネクタ１０と相手方コネクタ３０とを嵌合させる際に、方向規制がないので、嵌合作業を円滑に行うことができる。
なお、本実施形態では、第１端子３７、第２端子３８および第３端子３９の接触部３７Ａ，３８Ａ，３９Ａの径寸法は、第１端子３７、第２端子３８、第３端子３９の順に小さく設定されているが、これに限定されるものではない。例えば、第１端子３７の接触部３７Ａと、第２端子３８の接触部３８Ａとを軸方向に離れた位置に配置し且つ接触部３８Ａを第１端子３７に電気的に接触しないような構成にすることで、第１端子３７および第２端子３８の径寸法を同じくすることもできる。
【００４１】
＜他の実施形態＞
本発明は上記記述及び図面によって説明した実施形態に限定されるものではなく、例えば次のような実施形態も本発明の技術的範囲に含まれる。
（１）上記実施形態では第１ハウジング１２は相手方コネクタ３０のハウジング３１に対して回転自在に係合されている構成を示したが、第１ハウジングは相手方コネクタのハウジングに対して回転しない構成であってもよい。
（２）上記実施形態では第１ハウジング１２と第２ハウジング２２とを一体化したハウジング１１を、相手方コネクタ３０のハウジング３１に嵌合させる構成を例示したが、第１ハウジングのみを相手方コネクタのハウジングに係止させた後第２ハウジングを第１ハウジングに取り付けてもよい。
【符号の説明】
【００４２】
１０…コネクタ
１１…ハウジング
１２…第１ハウジング
１３…係合部
１８…第１端子
１９…第２端子
２０…第３端子
２１…ロック孔
２２…第２ハウジング
２３…ロック突部
２４…係合維持部
３０…相手方コネクタ
３１…ハウジング
３２…内筒部
３２Ａ…内筒部の端縁
３７…第１端子
３８…第２端子
３９…第３端子
【図１】
0006052085.tif 000002
【図２】
0006052085.tif 000003
【図３】
0006052085.tif 000004
【図４】
0006052085.tif 000005
【図５】
0006052085.tif 000006
【図６】
0006052085.tif 000007
【図７】
0006052085.tif 000008
【図８】
0006052085.tif 000009
【図９】
0006052085.tif 000010
【図１０】
0006052085.tif 000011
【図１１】
0006052085.tif 000012
【図１２】
0006052085.tif 000013
【図１３】
0006052085.tif 000014
【図１４】
0006052085.tif 000015
【図１５】
0006052085.tif 000016
【図１６】
0006052085.tif 000017
【図１７】
0006052085.tif 000018
【図１８】
0006052085.tif 000019
【図１９】
0006052085.tif 000020
【図２０】
0006052085.tif 000021
【図２１】
0006052085.tif 000022
【図２２】
0006052085.tif 000023
【図２３】
0006052085.tif 000024
【図２４】
0006052085.tif 000025
【図２５】
0006052085.tif 000026
【図２６】
0006052085.tif 000027
【図２７】
0006052085.tif 000028
【図２８】
0006052085.tif 000029
【図２９】
0006052085.tif 000030
【図３０】
0006052085.tif 000031